(57)【要約】【課題】無線基地局間または無線通信端末間において、伝送遅延の少ない通信を行う。【解決手段】送受信される無線信号を構成する時分割多重フレームの一部に、他の無線基地局との間で通信を行うためのノード間リンクフレームを割り当てるフレーム割り当て部１１０と、無線基地局１００に対する、ノード間リンクフレームの送信先となる他の無線基地局への方位に基づいて、他の無線基地局へノード間リンクフレームを送信するための周波数を決定する周波数決定部１２０と、フレーム割り当て部１１０が割り当てたノード間リンクフレームを、周波数決定部１２０が決定した周波数を用いて、周波数および無線基地局１００に割り当てられたタイミングで送信する通信部１３０とを有する。【選択図】図２
2018061107.tif 000002
【特許請求の範囲】
【請求項１】
無線基地局であって、
送受信される無線信号を構成する時分割多重フレームの一部に、他の無線基地局との間で通信を行うためのノード間リンクフレームを割り当てるフレーム割り当て部と、
当該無線基地局に対する、前記ノード間リンクフレームの送信先となる前記他の無線基地局への方位に基づいて、前記他の無線基地局へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線基地局に割り当てられたタイミングで送信する通信部とを有する無線基地局。
【請求項２】
請求項１に記載の無線基地局において、
前記方位と前記周波数とをあらかじめ対応付けて記憶する記憶部を有し、
前記周波数決定部は、前記ノード間リンクフレームの送信先となる前記他の無線基地局への方位と対応付けられている周波数を前記記憶部から読み出し、該読み出した周波数を、前記他の無線基地局へ前記ノード間リンクフレームを送信するための周波数として決定する無線基地局。
【請求項３】
請求項１または請求項２に記載の無線基地局において、
前記方位は、前記ノード間リンクフレームを送信するための送信方位と、前記前記ノード間リンクフレームを受信するための受信方位とがあらかじめ設定され、
当該無線基地局に対する、前記ノード間リンクフレームの送信先となる前記他の無線基地局への方位が前記受信方位である場合、前記周波数決定部は、前記送信方位に配置された無線基地局である中継無線基地局へ前記ノード間リンクフレームを送信するための周波数を決定し、
前記通信部は、該決定した周波数を用いて前記中継無線基地局を介して前記他の無線基地局へ前記ノード間リンクフレームを送信する無線基地局。
【請求項４】
請求項１から３のいずれか１項に記載の無線基地局において、
前記フレーム割り当て部は、前記時分割多重フレームのうちの下りリンクフレームと上りリンクフレームとの間に前記ノード間リンクフレームを割り当てる無線基地局。
【請求項５】
請求項１から４のいずれか１項に記載の無線基地局において、
前記フレーム割り当て部は、前記ノード間リンクフレームとして、当該無線基地局から前記他の無線基地局へ信号を送信するための第１のノード間リンクフレームと、前記他の無線基地局から送信された信号を当該無線基地局にて受信するための第２のノード間リンクフレームとを割り当てる無線基地局。
【請求項６】
無線通信端末であって、
送受信される無線信号を構成する時分割多重フレームの一部に、他の無線通信端末との間で通信を行うためのノード間リンクフレームを割り当てるフレーム割り当て部と、
当該無線通信端末に対する、前記ノード間リンクフレームの送信先となる前記他の無線通信端末への方位に基づいて、前記他の無線通信端末へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線通信端末に割り当てられたタイミングで送信する通信部とを有する無線通信端末。
【請求項７】
無線基地局が行う無線通信方法であって、
送受信される無線信号を構成する時分割多重フレームの一部に、他の無線基地局との間で通信を行うためのノード間リンクフレームを割り当てる処理と、
当該無線基地局に対する、前記ノード間リンクフレームの送信先となる前記他の無線基地局への方位に基づいて、前記他の無線基地局へ前記ノード間リンクフレームを送信するための周波数を決定する処理と、
前記割り当てたノード間リンクフレームを、前記決定した周波数を用いて、該周波数および当該無線基地局に割り当てられたタイミングで送信する処理とを行う無線通信方法。
【請求項８】
無線通信端末が行う無線通信方法であって、
送受信される無線信号を構成する時分割多重フレームの一部に、他の無線通信端末との間で通信を行うためのノード間リンクフレームを割り当てる処理と、
当該無線通信端末に対する、前記ノード間リンクフレームの送信先となる前記他の無線通信端末への方位に基づいて、前記他の無線通信端末へ前記ノード間リンクフレームを送信するための周波数を決定する処理と、
前記割り当てたノード間リンクフレームを、前記決定した周波数を用いて、該周波数および当該無線通信端末に割り当てられたタイミングで送信する処理とを行う無線通信方法。
【請求項９】
無線基地局に、
送受信される無線信号を構成する時分割多重フレームの一部に、他の無線基地局との間で通信を行うためのノード間リンクフレームを割り当てる手順と、
当該無線基地局に対する、前記ノード間リンクフレームの送信先となる前記他の無線基地局への方位に基づいて、前記他の無線基地局へ前記ノード間リンクフレームを送信するための周波数を決定する手順と、
前記割り当てたノード間リンクフレームを、前記決定した周波数を用いて、該周波数および当該無線基地局に割り当てられたタイミングで送信する手順とを実行させるためのプログラム。
【請求項１０】
無線通信端末に、
送受信される無線信号を構成する時分割多重フレームの一部に、他の無線通信端末との間で通信を行うためのノード間リンクフレームを割り当てる手順と、
当該無線通信端末に対する、前記ノード間リンクフレームの送信先となる前記他の無線通信端末への方位に基づいて、前記他の無線通信端末へ前記ノード間リンクフレームを送信するための周波数を決定する手順と、
前記割り当てたノード間リンクフレームを、前記決定した周波数を用いて、該周波数および当該無線通信端末に割り当てられたタイミングで送信する手順とを実行させるためのプログラム。
【発明の詳細な説明】
【技術分野】
【０００１】
本発明は、無線通信を行う無線基地局、無線通信端末、無線通信方法およびプログラムに関する。
【背景技術】
【０００２】
無線基地局と移動局である無線通信端末との間で無線通信を行う場合、それらの間の通信には様々な無線通信方式が用いられている。１つの例としてＴＤＤ（Ｔｉｍｅ  Ｄｉｖｉｓｉｏｎ  Ｄｕｐｌｅｘ）方式が用いられている。このＴＤＤ方式は、無線基地局が無線通信端末へ送信する下りリンクフレームの送信タイミングと、無線基地局が無線通信端末から受信する上りリンクフレームの受信タイミングとを時間ごとに切り替える方式である。
【０００３】
このようなＴＤＤ方式において、ユーザ端末と無線基地局との間で通信されるサブフレームを、無線基地局が適用するＵＬ／ＤＬ構成と他の無線基地局が適用するＵＬ／ＤＬ構成と間の関係に応じて、固定サブフレームと動的サブフレームとに分類し、それぞれに異なる周波数割り当て方法を適用する技術が開示されている（例えば、特許文献１参照。）。また、無線基地局と他の無線基地局との間で通信を行う場合、その無線基地局間を有線で接続し、その有線の回線を介して通信を行う場合が多い。また、無線通信端末間で通信を行うには、上位の通信ネットワークを介して行う。
【先行技術文献】
【特許文献】
【０００４】
【特許文献１】特開２０１４−１７５８００号公報
【発明の概要】
【発明が解決しようとする課題】
【０００５】
上述したように、有線回線を用いて無線基地局間で通信を行うと、その通信で使用されているプロトコル処理を行うための伝送遅延が生じてしまう。特に、無線基地局間でベースバンドの情報の送受信を行うと、その送受信に時間がかかってしまう。また、無線通信端末が上位の通信ネットワークを介して他の無線通信端末と通信を行うと、無線基地局やその上位ネットワークにおける処理の時間がかかってしまう。また、特許文献１に記載された技術は、ユーザ端末と無線基地局との間の通信に関するものであって、無線基地局間や無線通信端末間の通信に関するものではない。
【０００６】
このように、無線基地局や無線通信端末が、他の無線基地局や他の無線通信端末との間で通信を行う場合、かなりの伝送遅延が生じてしまうという問題点がある。
【０００７】
本発明の目的は、上述した課題を解決する無線基地局、無線通信端末、無線通信方法およびプログラムを提供することである。
【課題を解決するための手段】
【０００８】
本発明の無線基地局は、
送受信される無線信号を構成する時分割多重フレームの一部に、他の無線基地局との間で通信を行うためのノード間リンクフレームを割り当てるフレーム割り当て部と、
当該無線基地局に対する、前記ノード間リンクフレームの送信先となる前記他の無線基地局への方位に基づいて、前記他の無線基地局へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線基地局に割り当てられたタイミングで送信する通信部とを有する。
また、本発明の無線通信端末は、
送受信される無線信号を構成する時分割多重フレームの一部に、他の無線通信端末との間で通信を行うためのノード間リンクフレームを割り当てるフレーム割り当て部と、
当該無線通信端末に対する、前記ノード間リンクフレームの送信先となる前記他の無線通信端末への方位に基づいて、前記他の無線通信端末へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線通信端末に割り当てられたタイミングで送信する通信部とを有する。
また、本発明の無線通信方法は、
無線基地局が行う無線通信方法であって、
送受信される無線信号を構成する時分割多重フレームの一部に、他の無線基地局との間で通信を行うためのノード間リンクフレームを割り当てる処理と、
当該無線基地局に対する、前記ノード間リンクフレームの送信先となる前記他の無線基地局への方位に基づいて、前記他の無線基地局へ前記ノード間リンクフレームを送信するための周波数を決定する処理と、
前記割り当てたノード間リンクフレームを、前記決定した周波数を用いて、該周波数および当該無線基地局に割り当てられたタイミングで送信する処理とを行う。
また、無線通信端末が行う無線通信方法であって、
送受信される無線信号を構成する時分割多重フレームの一部に、他の無線通信端末との間で通信を行うためのノード間リンクフレームを割り当てる処理と、
当該無線通信端末に対する、前記ノード間リンクフレームの送信先となる前記他の無線通信端末への方位に基づいて、前記他の無線通信端末へ前記ノード間リンクフレームを送信するための周波数を決定する処理と、
前記割り当てたノード間リンクフレームを、前記決定した周波数を用いて、該周波数および当該無線通信端末に割り当てられたタイミングで送信する処理とを行う。
また、本発明のプログラムは、
無線基地局に実行させるためのプログラムであって、
送受信される無線信号を構成する時分割多重フレームの一部に、他の無線基地局との間で通信を行うためのノード間リンクフレームを割り当てる手順と、
当該無線基地局に対する、前記ノード間リンクフレームの送信先となる前記他の無線基地局への方位に基づいて、前記他の無線基地局へ前記ノード間リンクフレームを送信するための周波数を決定する手順と、
前記割り当てたノード間リンクフレームを、前記決定した周波数を用いて、該周波数および当該無線基地局に割り当てられたタイミングで送信する手順とを実行させる。
また、無線通信端末に実行させるためのプログラムであって、
送受信される無線信号を構成する時分割多重フレームの一部に、他の無線通信端末との間で通信を行うためのノード間リンクフレームを割り当てる手順と、
当該無線通信端末に対する、前記ノード間リンクフレームの送信先となる前記他の無線通信端末への方位に基づいて、前記他の無線通信端末へ前記ノード間リンクフレームを送信するための周波数を決定する手順と、
前記割り当てたノード間リンクフレームを、前記決定した周波数を用いて、該周波数および当該無線通信端末に割り当てられたタイミングで送信する手順とを実行させる。
【発明の効果】
【０００９】
以上説明したように、本発明においては、無線基地局間または無線通信端末間において、伝送遅延の少ない通信を行うことができる。
【図面の簡単な説明】
【００１０】
【図１】ＴＤＤ方式で用いられる一般的な時分割多重フレームの一例を示す図である。
【図２】本発明の無線基地局の第１の実施の形態を示す図である。
【図３】図２に示した無線基地局における無線通信方法の一例を説明するためにフローチャートである。
【図４】本発明の無線基地局の第２の実施の形態を示す図である。
【図５】図４に示したフレーム割り当て部がノード間リンクフレームを割り当てた時分割多重フレームの一例を示す図である。
【図６】図４に示した無線基地局が形成するセルの方位の一例を示す図である。
【図７】図６に示したそれぞれの方位に設定されたサブキャリアの一例を示す図である。
【図８】セルの隣接状態の一例を示す図である。
【図９】サブフレームの割り当ての一例を示す図である。
【図１０】図４に示した無線基地局が形成するセルの方位の他の例を示す図である。
【図１１】図１０に示したそれぞれの方位に設定されたサブキャリアの一例を示す図である。
【図１２】セルの隣接状態の他の例を示す図である。
【図１３】サブフレームの割り当ての他の例を示す図である。
【図１４】図４に示した無線基地局における無線通信方法の一例を説明するためのフローチャートである。
【図１５】本発明の無線通信端末の第１の実施の形態を示す図である。
【図１６】図１５に示した無線通信端末における無線通信方法の一例を説明するためにフローチャートである。
【図１７】本発明の無線通信端末の第２の実施の形態を示す図である。
【図１８】図１７に示したフレーム割り当て部がノード間リンクフレームを割り当てた時分割多重フレームの一例を示す図である。
【図１９】図１７に示した無線通信端末における無線通信方法の一例を説明するためのフローチャートである。
【図２０】無線基地局がカバーするセルの圏内に複数の無線通信端末が存在する形態の一例を示す図である。
【発明を実施するための形態】
【００１１】
近年、セルラシステムにおいて用いられる無線通信方式としてＬＴＥ（Ｌｏｎｇ  Ｔｅｒｍ  Ｅｖｏｌｕｔｉｏｎ）が主流となってきており、帯域の広い周波数帯の割り当ても普及してきている。また、帯域の広い周波数帯ではＴＤＤ（Ｔｉｍｅ  Ｄｉｖｉｓｉｏｎ  Ｄｕｐｌｅｘ）方式を適用することが多い。ＴＤＤ方式は、下りリンクと上りリンクとのそれぞれの通信を互いに同じ周波数を用いて行い、下りリンクと上りリンクとでは時分割にフレームを区切ることで、上下の通信を実現している。
【００１２】
図１は、ＴＤＤ方式で用いられる一般的な時分割多重フレームの一例を示す図である。図１に示すように、下りリンクフレームと上りリンクフレームとが、時分割で割り当てられている。下りリンク用のフレームは、無線基地局では移動局である無線通信端末への送信用のフレーム、無線通信端末では無線基地局からの受信用のフレームとなる。上りリンク用のフレームでは、無線基地局では無線通信端末からの受信用のフレーム、無線通信端末では無線基地局への送信用のフレームとなる。
【００１３】
以下に、本発明の実施の形態について図面を参照して説明する。
（無線基地局の第１の実施の形態）
【００１４】
図２は、本発明の無線基地局の第１の実施の形態を示す図である。本形態における無線基地局１００は図２に示すように、フレーム割り当て部１１０と、周波数決定部１２０と、通信部１３０とを有する。なお、図２には、本形態における無線基地局１００に設けられた構成要素のうち、本実施の形態に関わる主要な構成要素の一例を示す。また、無線基地局１００は、ＴＤＤ方式を用いて、他の無線基地局や無線通信端末との間で無線通信を行う。
【００１５】
フレーム割り当て部１１０は、送受信される無線信号を構成する時分割多重フレームの一部に、他の無線基地局との間で通信を行うためのノード間リンクフレームを割り当てる。周波数決定部１２０は、無線基地局１００に対する、ノード間リンクフレームの送信先となる他の無線基地局への方位に基づいて、他の無線基地局へノード間リンクフレームを送信するための周波数を決定する。通信部１３０は、フレーム割り当て部１１０が割り当てたノード間リンクフレームを用いて、他の無線基地局との間で通信を行う。具体的には、通信部１３０は、フレーム割り当て部１１０が割り当てたノード間リンクフレームを、周波数決定部１２０が決定した周波数を用いて、周波数および無線基地局１００に割り当てられたタイミングで送信する。
【００１６】
以下に、図２に示した無線基地局１００における無線通信方法について説明する。図３は、図２に示した無線基地局１００における無線通信方法の一例を説明するためにフローチャートである。
【００１７】
まず、フレーム割り当て部１１０が、送受信される無線信号を構成する時分割多重フレームの一部に、他の無線基地局との間で通信を行うためのノード間リンクフレームを割り当てる（ステップＳ１）。続いて、周波数決定部１２０は、無線基地局１００に対する、ノード間リンクフレームの送信先となる他の無線基地局への方位に基づいて、他の無線基地局へノード間リンクフレームを送信するための周波数を決定する（ステップＳ２）。すると、通信部１３０が、フレーム割り当て部１１０が割り当てたノード間リンクフレームを、周波数決定部１２０が決定した周波数を用いて、周波数および無線基地局１００に割り当てられたタイミングで送信する（ステップＳ３）。
【００１８】
このように、無線基地局が、送受信される無線信号を構成する時分割多重フレームの一部に、他の無線基地局との間で通信を行うためのフレームを割り当て、フレームの送信先となる無線基地局の方位に基づいた周波数を用いて、当該フレームを所定のタイミングで送信する。そのため、無線基地局間において伝送遅延の少ない通信を行うことができる。
（無線基地局の第２の実施の形態）
【００１９】
図４は、本発明の無線基地局の第２の実施の形態を示す図である。本形態における無線基地局１０１は図４に示すように、フレーム割り当て部１１１と、周波数決定部１２１と、通信部１３１と、記憶部１４１とを有する。なお、図４には、本形態における無線基地局１０１に設けられた構成要素のうち、本実施の形態に関わる主要な構成要素の一例を示す。また、無線基地局１０１は、ＴＤＤ方式を用いて、他の無線基地局や無線通信端末との間で無線通信を行う。
【００２０】
フレーム割り当て部１１１は、送受信される無線信号を構成する時分割多重フレームの一部に、他の無線基地局との間で通信を行うためのノード間リンクフレームを割り当てる。このとき、フレーム割り当て部１１１は、時分割多重フレームのうちの下りリンクフレームと上りリンクフレームとの間にノード間リンクフレームを割り当てる。
【００２１】
図５は、図４に示したフレーム割り当て部１１１がノード間リンクフレームを割り当てた時分割多重フレームの一例を示す図である。図４に示したフレーム割り当て部１１１は図５に示すように、時分割多重フレームのうちの無線通信端末へ無線信号を送信するための下りリンクフレームと、無線通信端末から無線信号を受信するための上りリンクフレームとの間に、ノード間リンクフレーム３００−１を割り当てる（追加する）。
【００２２】
また、フレーム割り当て部１１１は、ノード間リンクフレームとして、無線基地局１０１から他の無線基地局へ信号を送信するためのノード間リンクフレーム（第１のノード間リンクフレーム）と、他の無線基地局から送信された信号を無線基地局１０１にて受信するためのノード間リンクフレーム（第２のノード間リンクフレーム）とを割り当てる。
【００２３】
記憶部１４１は、方位と周波数とをあらかじめ対応付けて記憶する。この「方位」とは、無線基地局１０１からの他の無線基地局の方向である。また、「周波数」とは、無線基地局間でノード間リンクフレームを送受信するために用いるサブキャリアの周波数である。
【００２４】
周波数決定部１２１は、ノード間リンクフレームの送信先となる他の無線基地局への方位と対応付けられている周波数を記憶部１４１から読み出す。周波数決定部１２１は、記憶部１４１から読み出した周波数を、他の無線基地局へノード間リンクフレームを送信するための周波数として決定する。
【００２５】
通信部１３１は、フレーム割り当て部１１１が割り当てたノード間リンクフレームを、周波数決定部１２１が決定した周波数を用いて、周波数および無線基地局１０１に割り当てられたタイミングで送信する。
【００２６】
図６は、図４に示した無線基地局１０１が形成するセルの方位の一例を示す図である。図６に示した例では、図４に示した無線基地局１０１が形成するセルに隣接するセルが６つである場合である。図６に示すように、無線基地局１０１が形成するセルの周囲の方位を６つに分割し、それぞれを方位１〜６とする。例えば、無線基地局５０１が配置されている方位は「方位１」である。また、無線基地局５０２が配置されている方位は「方位２」である。また、無線基地局５０３が配置されている方位は「方位３」である。また、無線基地局５０４が配置されている方位は「方位４」である。また、無線基地局５０５が配置されている方位は「方位５」である。また、無線基地局５０６が配置されている方位は「方位６」である。
【００２７】
図７は、図６に示したそれぞれの方位に設定されたサブキャリアの一例を示す図である。図７に示すように、図６に示した方位１にはサブキャリアｆ１の送信が割り当てられる。また、図６に示した方位２にはサブキャリアｆ３の受信が割り当てられる。また、図６に示した方位３にはサブキャリアｆ２の送信が割り当てられる。また、図６に示した方位４にはサブキャリアｆ１の受信が割り当てられる。また、図６に示した方位５にはサブキャリアｆ３の送信が割り当てられる。また、図６に示した方位６にはサブキャリアｆ２の受信が割り当てられる。また、各セルに３つのタイミングＡ〜Ｃのいずれかが設定される。タイミングＡ〜Ｃは、それぞれのセルを形成する無線基地局が、他の無線基地局との間でノード間通信に用いるサブフレームの送受信に用いるタイミングである。タイミングＡ〜Ｃは、任意で設定・変更が可能である。
【００２８】
図８は、セルの隣接状態の一例を示す図である。図８に示すように、セルＧに、セルＡ〜Ｆが隣接している。セルＡ〜ＧのそれぞれにタイミングＡ〜Ｃのいずれかが設定されている。
【００２９】
図９は、サブフレームの割り当ての一例を示す図である。図９では、図８に示したセルＡ〜Ｇそれぞれを形成する無線基地局を基地局Ａ〜Ｇとする。タイミングＡが設定された基地局Ｇは、ノード間リンクフレームを、サブフレームａを用いて送信し、サブフレームｃを用いて受信する。タイミングＢが設定された基地局Ａ，Ｃ，Ｅは、ノード間リンクフレームを、サブフレームｂを用いて送信し、サブフレームａを用いて受信する。タイミングＣが設定された基地局Ｂ，Ｄ，Ｆは、ノード間リンクフレームを、サブフレームｃを用いて送信し、サブフレームｂを用いて受信する。また、ノード間リンク通信で使うフレームでは送信周波数ｆ１，ｆ２，ｆ３の３つのサブキャリアを用意し、それぞれ異なる方位の通信の送受信に適用する。
【００３０】
図９に示すように、基地局Ｇから基地局Ａへのノード間リンク通信では、周波数ｆ１のサブキャリアが用いられ、タイミングＡでサブフレームａが送信され、タイミングＢでサブフレームａが受信される（ｇ１）。また、基地局Ｇから基地局Ｃへのノード間リンク通信では、周波数ｆ２のサブキャリアが用いられ、タイミングＡでサブフレームａが送信され、タイミングＢでサブフレームａが受信される。また、基地局Ｇから基地局Ｅへのノード間リンク通信では、周波数ｆ３のサブキャリアが用いられ、タイミングＡでサブフレームａが送信され、タイミングＢでサブフレームａが受信される。また、基地局Ａから基地局Ｂへのノード間リンク通信では、周波数ｆ２のサブキャリアが用いられ、タイミングＢでサブフレームｂが送信され、タイミングＣでサブフレームｂが受信される（ａ３）。また、基地局Ｅから基地局Ｄへのノード間リンク通信では、周波数ｆ２のサブキャリアが用いられ、タイミングＢでサブフレームｂが送信され、タイミングＣでサブフレームｂが受信される。また、基地局Ａから基地局Ｆへのノード間リンク通信では、周波数ｆ３のサブキャリアが用いられ、タイミングＢでサブフレームｂが送信され、タイミングＣでサブフレームｂが受信される。また、基地局Ｃから基地局Ｂへのノード間リンク通信では、周波数ｆ１のサブキャリアが用いられ、タイミングＢでサブフレームｂが送信され、タイミングＣでサブフレームｂが受信される。また、基地局Ｃから基地局Ｄへのノード間リンク通信では、周波数ｆ３のサブキャリアが用いられ、タイミングＢでサブフレームｂが送信され、タイミングＣでサブフレームｂが受信される。また、基地局Ｅから基地局Ｆへのノード間リンク通信では、周波数ｆ１のサブキャリアが用いられ、タイミングＢでサブフレームｂが送信され、タイミングＣでサブフレームｂが受信される。また、基地局Ｄから基地局Ｇへのノード間リンク通信では、周波数ｆ１のサブキャリアが用いられ、タイミングＣでサブフレームｃが送信され、タイミングＡでサブフレームｃが受信される。また、基地局Ｆから基地局Ｇへのノード間リンク通信では、周波数ｆ２のサブキャリアが用いられ、タイミングＣでサブフレームｃが送信され、タイミングＡでサブフレームｃが受信される。また、基地局Ｂから基地局Ｇへのノード間リンク通信では、周波数ｆ３のサブキャリアが用いられ、タイミングＣでサブフレームｃが送信され、タイミングＡでサブフレームｃが受信される（ｃ５）。
【００３１】
このように、方位、送受信およびサブキャリアを、隣接するセル間で異なるものとするように、互いに対応付ける。つまり、互いに隣接するセルにおいては、サブフレームおよび送受信のタイミングが同じものとならないように設定する。
【００３２】
以下に、無線基地局間でのノード間リンク通信の具体的な動作について、図８に示したセルＧに設置された基地局ＧとセルＢに設置された基地局Ｂとの間で通信を行う場合を例に挙げて説明する。まず、基地局Ｇから基地局Ｂへサブフレームを送信する場合の動作について説明する。
上述したように方位に応じて送受信の方向が設定されているため、基地局Ｇから基地局Ｂへサブフレームを送信する場合、基地局Ｇから受信方位に配置された基地局Ｂへサブフレームを直接送信することはできない。そこで、基地局Ｇは、送信方位に配置された基地局Ａ（中継無線基地局）を経由してサブフレームを送信する。つまり、サブフレームの送信経路は、セルＧ（方位１から送信）→セルＡ（方位４に受信・方位３から送信）→セルＢ（セル６に受信）となる。また、サブキャリアもあらかじめ設定されているため、サブフレームはサブフレームａを用いてセルＧ（方位１、サブキャリアｆ１）からセルＡへ送信され、セルＡ（方位３、サブキャリアｆ２）からセルＢへ送信される。
次に、基地局Ｂから基地局Ｇへサブフレームを送信する場合の動作について説明する。同様に、方位に応じて設定された送受信の方向に従う。基地局Ｂから基地局Ｇへサブフレームを送信する場合、基地局Ｇは、基地局Ｂからの送信方位に配置されているため、サブフレームを直接送信することができる。この場合、サブフレームの送信経路は、セルＢ（方位５から送信）→セルＧ（セル２に受信）となる。また、サブキャリアもあらかじめ設定されているため、サブフレームはサブフレームｃを用いてセルＢ（方位５、サブキャリアｆ３）からセルＧへ送信される。
隣接セルに対する通信の方法は、他のセル間も同様に行う。図９に示した矢印に従った方向の通信経路を経由して通信を行う。
【００３３】
以上説明したように、当該セル（無線基地局）からの各セル（無線基地局）の方位と、送受信および周波数（サブキャリア）とをあらかじめ設定して固定とすることで、周波数配置を意識することなく、隣接セルのタイミングａ，ｂ，ｃが同一とならないように（図７に示した３種類のタイミングのセルのうち同一タイミングのセルが隣接とならないように）配置するだけで容易にセル間通信が可能となる。
【００３４】
図１０は、図４に示した無線基地局１０１が形成するセルの方位の他の例を示す図である。図１０に示した例では、図４に示した無線基地局１０１が形成するセルに隣接するセルが４つである場合である。図１０に示すように、無線基地局１０１が形成するセルの周囲の方位を４つに分割し、それぞれを方位１〜４とする。例えば、無線基地局５１１が配置されている方位は「方位１」である。また、無線基地局５１２が配置されている方位は「方位２」である。また、無線基地局５１３が配置されている方位は「方位３」である。また、無線基地局５１４が配置されている方位は「方位４」である。
【００３５】
図１１は、図１０に示したそれぞれの方位に設定されたサブキャリアの一例を示す図である。図１１に示すように、各セルの各方位について通信（送受）方向と送受信に用いるサブキャリア（周波数：例えば、ｆ１，ｆ２）とをあらかじめ設定する。また、ノード間通信として使用するサブフレームの送信、受信に適用するタイミングとして、タイミングＡ，Ｂの２種類をあらかじめ設定する。これらのタイミングは任意で設定・変更が可能である。さらに、送信および受信の方位とサブキャリアとがタイミング毎に対応付けられて設定される。例えば、図１１に示すように、タイミングＡに設定されたセルは、方位１がサブキャリアｆ１の送信、方位２がサブキャリアｆ２の受信、方位３がサブキャリアｆ２の送信、方位４がサブキャリアｆ１の受信だけを適用するように設定される。また、タイミングＢに設定されたセルは、方位１がサブキャリアｆ２の受信、方位２がサブキャリアｆ１の送信、方位３がサブキャリアｆ１の受信、方位４がサブキャリアｆ２の送信だけを適用するように設定される。
【００３６】
図１２は、セルの隣接状態の他の例を示す図である。図１２に示すように、セルＩに、セルＡ，Ｃ，Ｅ，Ｇの４つのセルが隣接している。また、セルＡおよびセルＣにはセルＢが隣接している。また、セルＣおよびセルＥにセルＤが隣接している。また、セルＥおよびセルＧにセルＦが隣接している。さらに、セルＧおよびセルＡにセルＨが隣接している。セルＡ〜ＩのそれぞれにタイミングＡ，Ｂのいずれかが設定されている。
【００３７】
図１３は、サブフレームの割り当ての他の例を示す図である。図１３では、図１２に示したセルＡ〜Ｃ，Ｉそれぞれを形成する無線基地局を基地局Ａ〜Ｃ，Ｉとする。タイミングＡが設定された基地局Ｉ，Ｂは、ノード間リンクフレームを、サブフレームａ，ｃを用いて送信し、サブフレームｂ，ｄを用いて受信する。タイミングＢが設定された基地局Ａ，Ｃは、ノード間リンクフレームを、サブフレームｂ，ｄを用いて送信し、サブフレームａ，ｃを用いて受信する。また、ノード間リンク通信で使うフレームでは送信周波数ｆ１，ｆ２の２つのサブキャリアを用意し、それぞれ異なる方位の通信の送受信に適用する。
【００３８】
以下に、無線基地局間でのノード間リンク通信の具体的な動作について、図１２に示したセルＩに設置された基地局ＩとセルＣに設置された基地局Ｃとの間で通信を行う場合を例に挙げて説明する。まず、基地局Ｉから基地局Ｃへサブフレームを送信する場合の動作について説明する。
上述したように方位に応じて送受信の方向が設定されているため、基地局Ｉから基地局Ｃへフレームを送信する場合、基地局Ｉから受信方位に配置された基地局Ｃへフレームを直接送信することはできない。そこで、基地局Ｉは、送信方位に配置された基地局Ａおよび基地局Ｂ（中継無線基地局）を経由してサブフレームを送信する。つまり、サブフレームの送信経路は、セルＩ（方位１から送信）→セルＡ（方位３に受信・方位２から送信））→セルＢ（方位４に受信・方位３から送信）→セルＣ（セル１に受信）となる。また、サブキャリアもあらかじめ設定されているため、サブフレームはサブフレームａを用いてセルＩ（方位１、サブキャリアｆ１）からセルＡへ送信され、セルＡ（方位２、サブキャリアｆ１）からセルＢへ送信され、セルＢ（方位３、サブキャリアｆ２）からセルＣへ送信される。
次に、基地局Ｃから基地局Ｉへサブフレームを送信する場合の動作について説明する。同様に、方位に応じて設定された送受信の方向に従う。基地局Ｃから基地局Ｉへサブフレームを送信する場合、基地局Ｉは、基地局Ｃからの送信方位に配置されているため、サブフレームを直接送信することができる。この場合、フレームの送信経路は、セルＣ（方位４から送信）→セルＩ（方位２に受信）となる。また、サブキャリアもあらかじめ設定されているため、サブフレームはサブフレームｄを用いてセルＣ（方位４、サブキャリアｆ２）からセルＩへ送信される。
隣接セルに対する通信の方法は、他のセル間も同様に行う。図１３に示した矢印に従った方向の通信経路を経由して通信を行う。
【００３９】
以下に、図４に示した無線基地局における無線通信方法について説明する。図１４は、図４に示した無線基地局１０１における無線通信方法の一例を説明するためのフローチャートである。
【００４０】
まず、フレーム割り当て部１１１は、送受信される無線信号を構成する時分割多重フレームの一部に、他の無線基地局との間で通信を行うためのノード間リンクフレームを割り当てる（ステップＳ１１）。このとき、フレーム割り当て部１１１は、時分割多重フレームのうちの下りリンクフレームと上りリンクフレームとの間にノード間リンクフレームを割り当てる。
続いて、周波数決定部１２１は、無線基地局１０１に対する、ノード間リンクフレームの送信先となる他の無線基地局への方位が受信方位かどうかを判定する（ステップＳ１２）。この判定は、あらかじめ設定されている、方位と送受信の方向との対応付けに基づいて行われる。
【００４１】
無線基地局１０１に対する、ノード間リンクフレームの送信先となる他の無線基地局への方位が受信方位である場合、周波数決定部１２１は、送信方位に配置された無線基地局である中継無線基地局へノード間リンクフレームを送信するための周波数を決定する（ステップＳ１３）。一方、無線基地局１０１に対する、ノード間リンクフレームの送信先となる他の無線基地局への方位が受信方位ではない場合、つまり送信方位である場合、周波数決定部１２１は、その無線基地局へノード間リンクフレームを送信するための周波数を決定する（ステップＳ１４）。ステップＳ１３，Ｓ１４で決定される周波数は、記憶部１４１にあらかじめ方位と対応付けて記憶されているものであって、周波数決定部１２１が方位に基づいて記憶部１４１から読み出して決定する。
【００４２】
その後、通信部１３１は、フレーム割り当て部１１１が割り当てたノード間リンクフレームを、周波数決定部１２１が決定した周波数を用いて、周波数および無線基地局１０１に割り当てられたタイミングで送信する（ステップＳ１５）。ここで、送信タイミングは、例えば、図７〜９を用いて説明したタイミングＡ〜Ｃや、図１１〜１３を用いて説明したタイミングＡ，Ｂである。
【００４３】
このように、無線基地局が、送受信される無線信号を構成する時分割多重フレームの一部に、他の無線基地局との間で通信を行うためのフレームを割り当て、フレームの送信先となる無線基地局の方位に基づいた周波数を用いて、当該フレームを所定のタイミングで送信する。そのため、特に、ベースバンドの情報について有線回線を使うよりも早く無線基地局間の通信が可能となる。
（無線通信端末の第１の実施の形態）
【００４４】
図１５は、本発明の無線通信端末の第１の実施の形態を示す図である。本形態における無線通信端末２００は図１５に示すように、フレーム割り当て部２１０と、周波数決定部２２０と、通信部２３０とを有する。なお、図１５には、本形態における無線通信端末２００に設けられた構成要素のうち、本実施の形態に関わる主要な構成要素の一例を示す。また、無線通信端末２００は、ＴＤＤ方式を用いて、他の無線通信端末や無線基地局との間で無線通信を行う。
【００４５】
フレーム割り当て部２１０は、送受信される無線信号を構成する時分割多重フレームの一部に、他の無線通信端末との間で通信を行うためのノード間リンクフレームを割り当てる。周波数決定部２２０は、無線通信端末２００に対する、ノード間リンクフレームの送信先となる他の無線通信端末への方位に基づいて、他の無線通信端末へノード間リンクフレームを送信するための周波数を決定する。通信部２３０は、フレーム割り当て部２１０が割り当てたノード間リンクフレームを用いて、他の無線通信端末との間で通信を行う。具体的には、通信部２３０は、フレーム割り当て部２１０が割り当てたノード間リンクフレームを、周波数決定部２２０が決定した周波数を用いて、周波数および無線通信端末２００に割り当てられたタイミングで送信する。
【００４６】
以下に、図１５に示した無線通信端末２００における無線通信方法について説明する。図１６は、図１５に示した無線通信端末２００における無線通信方法の一例を説明するためにフローチャートである。
【００４７】
まず、フレーム割り当て部２１０が、送受信される無線信号を構成する時分割多重フレームの一部に、他の無線通信端末との間で通信を行うためのノード間リンクフレームを割り当てる（ステップＳ２１）。続いて、周波数決定部２２０は、無線通信端末２００に対する、ノード間リンクフレームの送信先となる他の無線通信端末への方位に基づいて、他の無線通信端末へノード間リンクフレームを送信するための周波数を決定する（ステップＳ２２）。すると、通信部２３０が、フレーム割り当て部２１０が割り当てたノード間リンクフレームを、周波数決定部２２０が決定した周波数を用いて、周波数および無線通信端末２００に割り当てられたタイミングで送信する（ステップＳ２３）。
【００４８】
このように、無線通信端末が、送受信される無線信号を構成する時分割多重フレームの一部に、他の無線通信端末との間で通信を行うためのフレームを割り当て、フレームの送信先となる無線通信端末の方位に基づいた周波数を用いて、当該フレームを所定のタイミングで送信する。そのため、無線通信端末間において伝送遅延の少ない通信を行うことができる。
（無線通信端末の第２の実施の形態）
【００４９】
図１７は、本発明の無線通信端末の第２の実施の形態を示す図である。本形態における無線通信端末２０１は図１７に示すように、フレーム割り当て部２１１と、周波数決定部２２１と、通信部２３１と、記憶部２４１とを有する。なお、図１７には、本形態における無線通信端末２０１に設けられた構成要素のうち、本実施の形態に関わる主要な構成要素の一例を示す。また、無線通信端末２０１は、ＴＤＤ方式を用いて、他の無線通信端末や無線基地局との間で無線通信を行う。
【００５０】
フレーム割り当て部２１１は、送受信される無線信号を構成する時分割多重フレームの一部に、他の無線通信端末との間で通信を行うためのノード間リンクフレームを割り当てる。このとき、フレーム割り当て部２１１は、時分割多重フレームのうちの下りリンクフレームと上りリンクフレームとの間にノード間リンクフレームを割り当てる。
【００５１】
図１８は、図１７に示したフレーム割り当て部２１１がノード間リンクフレームを割り当てた時分割多重フレームの一例を示す図である。図１７に示したフレーム割り当て部２１１は図１８に示すように、時分割多重フレームのうちの無線基地局から無線信号を受信するための下りリンクフレームと、無線基地局へ無線信号を送信するための上りリンクフレームとの間に、ノード間リンクフレーム４００−１を割り当てる（追加する）。
【００５２】
また、フレーム割り当て部２１１は、ノード間リンクフレームとして、無線通信端末２０１から他の無線通信端末へ信号を送信するためのノード間リンクフレーム（第１のノード間リンクフレーム）と、他の無線通信端末から送信された信号を無線通信端末２０１にて受信するためのノード間リンクフレーム（第２のノード間リンクフレーム）とを割り当てる。
【００５３】
記憶部２４１は、方位と周波数とをあらかじめ対応付けて記憶する。この「方位」とは、無線通信端末２０１からの他の無線通信端末の方向である。また、「周波数」とは、無線通信端末間でノード間リンクフレームを送受信するために用いるサブキャリアの周波数である。
【００５４】
周波数決定部２２１は、ノード間リンクフレームの送信先となる他の無線通信端末への方位と対応付けられている周波数を記憶部２４１から読み出す。周波数決定部２２１は、記憶部２４１から読み出した周波数を、他の無線通信端末へノード間リンクフレームを送信するための周波数として決定する。
【００５５】
通信部２３１は、フレーム割り当て部２１１が割り当てたノード間リンクフレームを、周波数決定部２２１が決定した周波数を用いて、周波数および無線通信端末２０１に割り当てられたタイミングで送信する。
【００５６】
あらかじめ設定された方位と送受信方向との対応付けや、送信に用いるサブキャリア（周波数）およびサブフレーム、ならびにサブフレームを送信するタイミングについては、上述した無線基地局間のノード間通信におけるものと同様である。
【００５７】
以下に、図１７に示した無線通信端末における無線通信方法について説明する。図１９は、図１７に示した無線通信端末における無線通信方法の一例を説明するためのフローチャートである。
【００５８】
まず、フレーム割り当て部２１１は、送受信される無線信号を構成する時分割多重フレームの一部に、他の無線通信端末との間で通信を行うためのノード間リンクフレームを割り当てる（ステップＳ３１）。このとき、フレーム割り当て部２１１は、時分割多重フレームのうちの下りリンクフレームと上りリンクフレームとの間にノード間リンクフレームを割り当てる。
続いて、周波数決定部２２１は、無線通信端末２０１に対する、ノード間リンクフレームの送信先となる他の無線通信端末への方位が受信方位かどうかを判定する（ステップＳ３２）。この判定は、あらかじめ設定されている、方位と送受信の方向との対応付けに基づいて行われる。
【００５９】
無線通信端末２０１に対する、ノード間リンクフレームの送信先となる他の無線通信端末への方位が受信方位である場合、周波数決定部２２１は、送信方位に配置された無線通信端末である中継無線通信端末へノード間リンクフレームを送信するための周波数を決定する（ステップＳ３３）。一方、無線通信端末２０１に対する、ノード間リンクフレームの送信先となる他の無線通信端末への方位が受信方位ではない場合、つまり送信方位である場合、周波数決定部２２１は、その無線通信端末へノード間リンクフレームを送信するための周波数を決定する（ステップＳ３４）。ステップＳ３３，Ｓ３４で決定される周波数は、記憶部２４１にあらかじめ方位と対応付けて記憶されているものであって、周波数決定部２２１が方位に基づいて記憶部２４１から読み出して決定する。
【００６０】
その後、通信部２３１は、フレーム割り当て部２１１が割り当てたノード間リンクフレームを、周波数決定部２２１が決定した周波数を用いて、周波数および無線通信端末２０１に割り当てられたタイミングで送信する（ステップＳ３５）。ここで、送信タイミングは、例えば、無線基地局について、図７〜９を用いて説明したタイミングＡ〜Ｃや、図１１〜１３を用いて説明したタイミングＡ，Ｂと同様である。
【００６１】
このように、無線通信端末が、送受信される無線信号を構成する時分割多重フレームの一部に、他の無線通信端末との間で通信を行うためのフレームを割り当て、フレームの送信先となる無線通信端末の方位に基づいた周波数を用いて、当該フレームを所定のタイミングで送信する。そのため、移動機間の通信を独自に行うことが可能となる。特に、圏外となっている移動機に対してネットワーク側から情報を送ることが可能となる。
【００６２】
同様に３局以上の無線通信端末間で本発明を適用する形態について説明する。
【００６３】
図２０は、無線基地局がカバーするセルの圏内に複数の無線通信端末が存在する形態の一例を示す図である。図２０に示すように、無線基地局１０２と無線基地局１０３とは、上述した動作を用いて、無線基地局間通信を行っている。また、無線基地局１０２がカバーするセルの圏内に複数の無線通信端末２０２〜２０５が存在しており、無線通信端末２０６がその圏外に存在している。
【００６４】
無線基地局１０２と無線基地局１０３との間の通信については、上述したような動作を行うことで、有線回線を使わずに通信ができるため、ベースバンド処理で使われる情報を無線基地局間で素早く送受信することが可能となる。例えば、無線基地局間で送信電力制御情報と送信電力値とを相互に交換することで、最適な送信電力値を決定することが可能となる。また、無線基地局間で各フレームにユーザ（移動局）を割り当てるためのスケジューリング情報を交換することが可能となり、干渉の回避に使うことができる。
【００６５】
図２０に示したように、無線通信端末２０２は、無線通信端末２０３および無線通信端末２０４との間で無線通信を行う。また、無線通信端末２０５は、無線基地局１０２がカバーするセルの圏外に存在する無線通信端末２０６との間で通信を行う。
【００６６】
また、基地局を人工衛星に配置した場合、地上局を介さずに衛星間で情報の交換が可能となる。通常は地上局から基地局を監視、制御を行う場合でも、何らかの障害が発生した場合でも衛星間の通信方法が用意できるためフェールセーフとして有効となる。
【００６７】
上述した無線基地局１００，１０１、無線通信端末２００，２０１それぞれに設けられた各構成要素が行う処理は、目的に応じてそれぞれ作製された論理回路で行うようにしても良い。また、処理内容を手順として記述したコンピュータプログラム（以下、プログラムと称する）を無線基地局１００，１０１、無線通信端末２００，２０１それぞれにて読取可能な記録媒体に記録し、この記録媒体に記録されたプログラムを無線基地局１００，１０１、無線通信端末２００，２０１それぞれに読み込ませ、実行するものであっても良い。無線基地局１００，１０１、無線通信端末２００，２０１それぞれにて読取可能な記録媒体とは、フロッピー（登録商標）ディスク、光磁気ディスク、ＤＶＤ（Ｄｉｇｉｔａｌ  Ｖｅｒｓａｔｉｌｅ  Ｄｉｓｃ）、ＣＤ（Ｃｏｍｐａｃｔ  Ｄｉｓｃ）Ｂｌｕ−ｒａｙ（登録商標）  Ｄｉｓｃなどの移設可能な記録媒体の他、無線基地局１００，１０１、無線通信端末２００，２０１それぞれに内蔵されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリやＨＤＤ（Ｈａｒｄ  Ｄｉｓｋ  Ｄｒｉｖｅ）等を指す。この記録媒体に記録されたプログラムは、無線基地局１００，１０１、無線通信端末２００，２０１それぞれに設けられたＣＰＵ（Ｃｅｎｔｒａｌ  Ｐｒｏｃｅｓｓｉｎｇ  Ｕｎｉｔ）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００６８】
上記の実施の形態の一部または全部は、以下の付記のようにも記載され得るが、以下には限られない。
（付記１）無線基地局であって、
送受信される無線信号を構成する時分割多重フレームの一部に、他の無線基地局との間で通信を行うためのノード間リンクフレームを割り当てるフレーム割り当て部と、
当該無線基地局に対する、前記ノード間リンクフレームの送信先となる前記他の無線基地局への方位に基づいて、前記他の無線基地局へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線基地局に割り当てられたタイミングで送信する通信部とを有する無線基地局。
（付記２）前記方位と前記周波数とをあらかじめ対応付けて記憶する記憶部を有し、
前記周波数決定部は、前記ノード間リンクフレームの送信先となる前記他の無線基地局への方位と対応付けられている周波数を前記記憶部から読み出し、該読み出した周波数を、前記他の無線基地局へ前記ノード間リンクフレームを送信するための周波数として決定する、付記１に記載の無線基地局。
（付記３）前記方位は、前記ノード間リンクフレームを送信するための送信方位と、前記前記ノード間リンクフレームを受信するための受信方位とがあらかじめ設定され、
当該無線基地局に対する、前記ノード間リンクフレームの送信先となる前記他の無線基地局への方位が前記受信方位である場合、前記周波数決定部は、前記送信方位に配置された無線基地局である中継無線基地局へ前記ノード間リンクフレームを送信するための周波数を決定し、
前記通信部は、該決定した周波数を用いて前記中継無線基地局を介して前記他の無線基地局へ前記ノード間リンクフレームを送信する、付記１または付記２に記載の無線基地局。
（付記４）前記フレーム割り当て部は、前記時分割多重フレームのうちの下りリンクフレームと上りリンクフレームとの間に前記ノード間リンクフレームを割り当てる、付記１から３のいずれか１項に記載の無線基地局。
（付記５）前記フレーム割り当て部は、前記ノード間リンクフレームとして、当該無線基地局から前記他の無線基地局へ信号を送信するための第１のノード間リンクフレームと、前記他の無線基地局から送信された信号を当該無線基地局にて受信するための第２のノード間リンクフレームとを割り当てる、付記１から４のいずれか１項に記載の無線基地局。
（付記６）無線通信端末であって、
送受信される無線信号を構成する時分割多重フレームの一部に、他の無線通信端末との間で通信を行うためのノード間リンクフレームを割り当てるフレーム割り当て部と、
当該無線通信端末に対する、前記ノード間リンクフレームの送信先となる前記他の無線通信端末への方位に基づいて、前記他の無線通信端末へ前記ノード間リンクフレームを送信するための周波数を決定する周波数決定部と、
前記フレーム割り当て部が割り当てたノード間リンクフレームを、前記周波数決定部が決定した周波数を用いて、該周波数および当該無線通信端末に割り当てられたタイミングで送信する通信部とを有する無線通信端末。
（付記７）無線基地局が行う無線通信方法であって、
送受信される無線信号を構成する時分割多重フレームの一部に、他の無線基地局との間で通信を行うためのノード間リンクフレームを割り当てる処理と、
当該無線基地局に対する、前記ノード間リンクフレームの送信先となる前記他の無線基地局への方位に基づいて、前記他の無線基地局へ前記ノード間リンクフレームを送信するための周波数を決定する処理と、
前記割り当てたノード間リンクフレームを、前記決定した周波数を用いて、該周波数および当該無線基地局に割り当てられたタイミングで送信する処理とを行う無線通信方法。
（付記８）無線通信端末が行う無線通信方法であって、
送受信される無線信号を構成する時分割多重フレームの一部に、他の無線通信端末との間で通信を行うためのノード間リンクフレームを割り当てる処理と、
当該無線通信端末に対する、前記ノード間リンクフレームの送信先となる前記他の無線通信端末への方位に基づいて、前記他の無線通信端末へ前記ノード間リンクフレームを送信するための周波数を決定する処理と、
前記割り当てたノード間リンクフレームを、前記決定した周波数を用いて、該周波数および当該無線通信端末に割り当てられたタイミングで送信する処理とを行う無線通信方法。
（付記９）無線基地局に、
送受信される無線信号を構成する時分割多重フレームの一部に、他の無線基地局との間で通信を行うためのノード間リンクフレームを割り当てる手順と、
当該無線基地局に対する、前記ノード間リンクフレームの送信先となる前記他の無線基地局への方位に基づいて、前記他の無線基地局へ前記ノード間リンクフレームを送信するための周波数を決定する手順と、
前記割り当てたノード間リンクフレームを、前記決定した周波数を用いて、該周波数および当該無線基地局に割り当てられたタイミングで送信する手順とを実行させるためのプログラム。
（付記１０）無線通信端末に、
送受信される無線信号を構成する時分割多重フレームの一部に、他の無線通信端末との間で通信を行うためのノード間リンクフレームを割り当てる手順と、
当該無線通信端末に対する、前記ノード間リンクフレームの送信先となる前記他の無線通信端末への方位に基づいて、前記他の無線通信端末へ前記ノード間リンクフレームを送信するための周波数を決定する手順と、
前記割り当てたノード間リンクフレームを、前記決定した周波数を用いて、該周波数および当該無線通信端末に割り当てられたタイミングで送信する手順とを実行させるためのプログラム。
【符号の説明】
【００６９】
１００〜１０３，５０１〜５０６，５１１〜５１４    無線基地局
１１０，１１１，２１０，２１１    フレーム割り当て部
１２０，１２１，２２０，２２１    周波数決定部
１３０，１３１，２３０，２３１    通信部
１４１，２４１    記憶部
２００〜２０６    無線通信端末
３００−１，４００−１    ノード間リンクフレーム
【図１】
2018061107.tif 000003
【図２】
2018061107.tif 000004
【図３】
2018061107.tif 000005
【図４】
2018061107.tif 000006
【図５】
2018061107.tif 000007
【図６】
2018061107.tif 000008
【図７】
2018061107.tif 000009
【図８】
2018061107.tif 000010
【図９】
2018061107.tif 000011
【図１０】
2018061107.tif 000012
【図１１】
2018061107.tif 000013
【図１２】
2018061107.tif 000014
【図１３】
2018061107.tif 000015
【図１４】
2018061107.tif 000016
【図１５】
2018061107.tif 000017
【図１６】
2018061107.tif 000018
【図１７】
2018061107.tif 000019
【図１８】
2018061107.tif 000020
【図１９】
2018061107.tif 000021
【図２０】
2018061107.tif 000022